(57)【要約】【課題】構造物に関係する物理量を計測するセンサ装置において、エネルギー消費量を低減するとともに、計測部を非計測状態から計測状態に切り替える条件となるトリガ閾値を、管理者の手間を省きつつ適切な値に設定する。【解決手段】センサ装置１０は、構造物の計測対象物理量を計測する計測部１０３と、トリガ用物理量を検出するトリガ検出部１０２と、前記トリガ用物理量の検出結果に応じて計測部１０３の動作を制御する制御部１０１と、を備え、制御部１０１は、前記トリガ用物理量の大きさがトリガ閾値を超える場合に計測部１０３を非計測状態から計測状態に切り替えて計測処理を開始させ、第１更新期間にトリガ検出部１０２により検出された複数の前記トリガ用物理量をその大きさの順に登録された閾値順位テーブルにおいて第１の設定順位に登録された前記トリガ用物理量を、第２更新期間における前記トリガ閾値に設定する。【選択図】図２
2019159792.tif 000002
【特許請求の範囲】
【請求項１】
構造物に関係する計測対象物理量を計測するセンサ装置であって、
前記計測対象物理量を計測する計測部と、
トリガ用物理量を検出するトリガ検出部と、
前記トリガ検出部により検出される前記トリガ用物理量の検出結果に応じて前記計測部の動作を制御する制御部と、を備え、
前記制御部は、
前記トリガ用物理量の大きさが所定のトリガ閾値を超える場合に、前記計測部を非計測状態から計測状態に切り替えて計測処理を開始させ、
第１所定期間に前記トリガ検出部により検出された複数の前記トリガ用物理量をその大きさの順に登録されたテーブルにおいて、予め設定された少なくとも一つの設定順位のうち第１の設定順位に登録された前記トリガ用物理量を、前記第１所定期間に続く第２所定期間における前記トリガ閾値に設定する、センサ装置。
【請求項２】
前記制御部は、前記第２所定期間に前記トリガ検出部により検出された前記トリガ用物理量の大きさが、前記第１の設定順位に登録された前記トリガ用物理量を超える場合に、前記計測処理を開始させる、
請求項１に記載のセンサ装置。
【請求項３】
前記テーブルには、前記第１の設定順位と、前記第１の設定順位より上位の第２の設定順位とを含む複数の設定順位が設定されており、
前記第２所定期間に前記トリガ検出部により検出された前記トリガ用物理量の大きさが、前記テーブルにおいて前記第１の設定順位に登録された前記トリガ用物理量の大きさより大きい場合に、前記制御部は、前記トリガ閾値を、前記第１の設定順位に登録された前記トリガ用物理量から、前記テーブルにおいて前記第２の設定順位に登録された前記トリガ用物理量に変更する、
請求項１に記載のセンサ装置。
【請求項４】
前記制御部は、前記第２所定期間が開始されると、前記第１所定期間に前記テーブルに登録された複数の前記トリガ用物理量を削除し、前記第２所定期間に前記トリガ検出部により検出された前記トリガ用物理量を順次、前記テーブルに登録する、
請求項１から請求項３の何れか１項に記載のセンサ装置。
【請求項５】
前記制御部は、前記第２所定期間が開始されると、前記第１所定期間に前記テーブルに登録された複数の前記トリガ用物理量のうち一部の前記トリガ用物理量を削除し、残りの前記トリガ用物理量のうち削除された前記トリガ用物理量の登録順位より下位に登録された前記トリガ用物理量の登録順位を繰り上げて前記テーブルを更新し、更新された前記テーブルに、前記第２所定期間に前記トリガ検出部により検出された前記トリガ用物理量を順次登録する、
請求項１から請求項３の何れか１項に記載のセンサ装置。
【請求項６】
前記制御部は、前記第２所定期間に前記トリガ検出部により検出された前記トリガ用物理量が、前記第２所定期間に前記テーブルに登録された複数の前記トリガ用物理量のうち最小値の前記トリガ用物理量より大きい場合に、前記第２所定期間に前記トリガ検出部により検出された当該トリガ用物理量を、前記テーブルに登録する、
請求項３に記載のセンサ装置。
【請求項７】
前記第１の設定順位および前記第２の設定順位は、所定期間に実行される前記計測部による計測処理の発生頻度に基づいて予め設定される、
請求項３に記載のセンサ装置。
【請求項８】
前記第１所定期間および前記第２所定期間の長さは、前記構造物の平常時における変動状況に基づいて設定される、
請求項１から請求項７の何れか１項に記載のセンサ装置。
【請求項９】
構造物に関係する計測対象物理量を計測する計測システムであって、
請求項１から請求項８の何れか１項に記載のセンサ装置と、
前記センサ装置から前記計測対象物理量の計測結果を示す計測データを受信するサーバ装置と、
を備える計測システム。
【請求項１０】
構造物に関係する計測対象物理量を計測する計測方法であって、
トリガ用物理量を検出する工程と、
第１所定期間に検出された複数の前記トリガ用物理量をその大きさの順にテーブルに登録する工程と、
複数の前記トリガ用物理量が登録された前記テーブルにおいて、予め設定された少なくとも一つの設定順位のうち第１の設定順位に登録された前記トリガ用物理量を、前記第１所定期間に続く第２所定期間におけるトリガ閾値に設定する工程と、
前記第２所定期間において、前記第２所定期間に検出された前記トリガ用物理量の大きさが前記トリガ閾値を超える場合に、前記計測対象物理量を計測する計測部を非計測状態から計測状態に切り替えて前記計測対象物理量の計測処理を開始させる工程と、
を含む計測方法。
【発明の詳細な説明】
【技術分野】
【０００１】
本発明は、構造物に関係する物理量を計測するセンサ装置、計測システム、および計測方法に関するものである。
【背景技術】
【０００２】
従来、橋梁、ビル等の構造物に設置したセンサ装置により当該構造物に関係する物理量を計測し、計測結果に基づいて当該構造物の損傷、劣化などの度合い、発生箇所などを予測する、構造物のヘルスモニタリング技術が開発されている。
【０００３】
例えば、特許文献１には、計測対象の物理量を計測する計測用センサと、計測用センサを起動させる条件である起動条件を検出する起動用センサとを備え、起動用センサによって前記起動条件が検出された場合に計測用センサを非起動状態から起動状態に切り替えるセンサ装置が開示されている。
【先行技術文献】
【特許文献】
【０００４】
【特許文献１】特開２０１３−００９０７９号公報
【発明の概要】
【発明が解決しようとする課題】
【０００５】
一般的に、構造物は、当該構造物が設置される場所、環境などによって前記物理量が異なる。また、一つの構造物においても、部位によって前記物理量が異なる。例えば、橋梁の場合、橋脚付近の部位の振動の大きさと、隣り合う橋脚同士の中央付近の部位の振動の大きさとは異なる。このため、計測用センサの起動条件（トリガ閾値）は、当該計測用センサが設置される場所に応じて個別に設定する必要がある。この点、従来の技術では、管理者が前記トリガ閾値を手動で設定しており、手間がかかるという問題がある。また、前記トリガ閾値の大きさは、前記計測用センサ（計測部）の計測頻度（エネルギー消費量）に影響を与えるため、省エネルギー化の観点からも前記トリガ閾値を適切な値に設定する必要がある。
【０００６】
本発明の目的は、構造物に関係する物理量を計測するセンサ装置において、エネルギー消費量を低減するとともに、計測部を非計測状態から計測状態に切り替える条件となるトリガ閾値を、管理者の手間を省きつつ適切な値に設定することにある。
【課題を解決するための手段】
【０００７】
本発明の一の局面にかかるセンサ装置は、構造物に関係する計測対象物理量を計測するセンサ装置であって、前記計測対象物理量を計測する計測部と、トリガ用物理量を検出するトリガ検出部と、前記トリガ検出部により検出される前記トリガ用物理量の検出結果に応じて前記計測部の動作を制御する制御部と、を備え、前記制御部は、前記トリガ用物理量の大きさが所定のトリガ閾値を超える場合に、前記計測部を非計測状態から計測状態に切り替えて計測処理を開始させ、第１所定期間に前記トリガ検出部により検出された複数の前記トリガ用物理量をその大きさの順に登録されたテーブルにおいて、予め設定された少なくとも一つの設定順位のうち第１の設定順位に登録された前記トリガ用物理量を、前記第１所定期間に続く第２所定期間における前記トリガ閾値に設定する。
【０００８】
本発明の他の局面にかかる計測システムは、構造物に関係する計測対象物理量を計測する計測システムであって、前記センサ装置と、前記センサ装置から前記計測対象物理量の計測結果を示す計測データを受信するサーバ装置と、を備える。
【０００９】
本発明の他の局面にかかる計測方法は、構造物に関係する計測対象物理量を計測する計測方法であって、トリガ用物理量を検出する工程と、第１所定期間に検出された複数の前記トリガ用物理量をその大きさの順にテーブルに登録する工程と、複数の前記トリガ用物理量が登録された前記テーブルにおいて、予め設定された少なくとも一つの設定順位のうち第１の設定順位に登録された前記トリガ用物理量を、前記第１所定期間に続く第２所定期間におけるトリガ閾値に設定する工程と、前記第２所定期間において、前記第２所定期間に検出された前記トリガ用物理量の大きさが前記トリガ閾値を超える場合に、前記計測対象物理量を計測する計測部を非計測状態から計測状態に切り替えて前記計測対象物理量の計測処理を開始させる工程と、を含む。
【発明の効果】
【００１０】
本発明によれば、構造物に関係する物理量を計測するセンサ装置において、エネルギー消費量を低減するとともに、計測部を非計測状態から計測状態に切り替える条件となるトリガ閾値を、管理者の手間を省きつつ適切な値に設定することができる。
【図面の簡単な説明】
【００１１】
【図１】図１は、本発明の実施形態にかかる計測システムの概略構成を示す説明図である。
【図２】図２は、本発明の実施形態にかかるセンサ装置の概略構成を示す説明図である。
【図３】図３は、本発明の実施形態にかかるセンサ装置で実行されるトリガ閾値設定処理の手順の一例を示すフローチャートである。
【図４】図４は、本発明の実施形態にかかるセンサ装置で実行されるトリガ閾値設定処理の手順の一例を示すフローチャートである。
【図５】図５は、本発明の実施形態にかかるセンサ装置の設定情報記憶部に記憶されるトリガ設定条件の一例を示す説明図である。
【図６】図６は、本発明の実施形態にかかるセンサ装置における計測対象の構造物の任意の位置における振動の大きさの変化の様子を示す図である。
【図７】図７は、本発明の実施形態にかかるセンサ装置の閾値順位記憶部に記憶される閾値順位テーブルの一例を示す説明図である。
【図８】図８は、本発明の実施形態にかかるセンサ装置の閾値順位記憶部に記憶される閾値順位テーブルの登録例を示す説明図である。
【図９】図９は、本発明の実施形態にかかるセンサ装置の閾値順位記憶部に記憶される閾値順位テーブルの一例を示す説明図である。
【図１０】図１０は、本発明の実施形態にかかるセンサ装置で実行される計測処理の手順の一例を示すフローチャートである。
【発明を実施するための形態】
【００１２】
以下、適宜図面を参照して本発明の実施形態について説明する。なお、以下に説明される実施形態は本発明を具体化した一例にすぎず、本発明の技術的範囲を限定するものではない。
【００１３】
［計測システム１］
図１は、本発明の実施形態にかかる計測システム１の概略構成を示す説明図である。計測システム１は、センサ装置（センサノード）１０、データ処理装置（シンクノード）２０、データサーバ３０、および外部サーバ４０を備えている。
【００１４】
センサ装置１０は、計測対象の構造物に関係する所定の計測対象物理量（例えば、加速度、変位量、歪み、振動周波数、温度、湿度、圧力、赤外線量、音量、照度、風速など）を計測するとともに、計測結果を示す計測データをデータ処理装置２０に送信する。本実施形態では、計測対象の構造物における互いに異なる複数の場所（箇所）にセンサ装置１０をそれぞれ設置し、前記構造物の複数個所に関係する計測対象物理量を計測するようになっている。なお、前記構造物の種類は特に限定されるものではなく、例えば、建物、橋梁、トンネル、住宅、車両、プラント設備、パイプライン、電線、電柱、ガス供給設備、上下水道設備、遺跡など、多様な構造物に適用できる。
【００１５】
具体的には、センサ装置１０は、図２に示すように、電源部１１と負荷部１２とを備えている。負荷部１２は、制御部１０１、トリガ検出部１０２、計測部１０３、計時部１０４、通信部１０５、設定情報記憶部１０６、計測データ記憶部１０７、および閾値順位記憶部１０８を備えている。
【００１６】
電源部１１は、負荷部１２に対して当該負荷部１２の各部を駆動するための電力を供給する。本実施形態では、電源部１１は電池（図示せず）を備えており、この電池に蓄えられた電力を負荷部１２の各部に供給する。ただし、これに限らず、電源部１１がセンサ装置１０の外部から供給される電力（例えば商用電力、発電設備で発電した電力など）を受電して負荷部１２の各部に供給する構成であってもよい。
【００１７】
制御部１０１は、負荷部１２の各部の動作を制御する。例えば、制御部１０１は、前記各部の駆動／停止、前記各部からのデータ取得、取得したデータの格納、データ処理装置２０との通信、トリガ閾値（トリガ条件）の設定などを制御する。
【００１８】
制御部１０１は、例えばＣＰＵ（Central Processing Unit）等からなり、ＲＯＭ等の記憶手段（図示せず）に格納されたプログラム、各種データなどに基づいて、負荷部１２の各部の動作を制御する。ただし、制御部１０１の構成はこれに限るものではなく、例えば、ハードウェアロジックによって構成されるものであってもよく、処理の一部を行うハードウェアと当該ハードウェアの制御及び残余の処理を行うソフトウェアを実行する演算手段とを組み合わせたものであってもよい。
【００１９】
トリガ検出部１０２は、計測対象の構造物あるいはその周囲における所定のトリガ用物理量（例えば、加速度、変位量、歪み、振動周波数、温度、湿度、圧力、赤外線量、音量、照度、風速など）を検出するトリガ用センサＴＳ１を備えている。トリガ検出部１０２は、所定のトリガ条件が満たされた場合（トリガ用物理量の検出値が所定のトリガ条件を満たす場合）に、制御部１０１にトリガ信号を出力する。具体的には、トリガ検出部１０２は、トリガ用センサＴＳ１により検出される前記トリガ用物理量が、制御部１０１により設定されるトリガ閾値（トリガ条件）を超える場合に、制御部１０１にトリガ信号を出力する。これにより、制御部１０１は、トリガ検出部１０２から入力されるトリガ信号に基づいて、計測部１０３の動作（例えば、非計測状態と計測状態とを切り替える動作など）を制御する。あるいは、トリガ検出部１０２がトリガ用センサＴＳ１の検出値（トリガ用物理量）を制御部１０１に出力し、制御部１０１がトリガ用センサＴＳ１の検出値と、当該検出値に基づいて設定されるトリガ閾値とを比較し、その比較結果に基づいて計測部１０３の動作を制御するようにしてもよい。
【００２０】
トリガ検出部１０２は、トリガ用センサＴＳ１に、予め設定された周期（サンプリング周期）で計測させるとともに、計測された計測値（振動値）において所定の間隔（トリガ検出間隔）でトリガ用物理量を検出する。具体的には例えば、トリガ検出部１０２は、トリガ用センサＴＳ１に２５Ｈｚのサンプリング周期で計測させるとともに、計測された計測値において９５秒間隔（トリガ検出間隔）でトリガ用物理量を検出する。すなわち、トリガ検出部１０２は、９５秒の間で２５Ｈｚのサンプリング周期で計測された複数の計測値のうちの最大値を当該９５秒のトリガ用物理量として検出する。このようにして、トリガ検出部１０２は、９５秒間隔でトリガ用物理量を検出する。前記サンプリング周期及び前記トリガ検出間隔は、例えば構造物が設置される場所および環境に応じて、センサ装置１０毎に管理者が設定してもよいし、データ処理装置２０（あるいは制御部１０１、データサーバ３０、または外部サーバ４０）が自動的に設定するようにしてもよい。
【００２１】
なお、本実施形態では、トリガ用センサＴＳ１として振動に起因する加速度を検出する加速度センサを用いる場合について主に説明するが、トリガ用センサＴＳ１の構成は前記トリガ用物理量を検出可能な構成であれば特に限定されるものではない。ただし、計測部１０３に備えられる各計測用センサの消費電力（あるいは各計測用センサの消費電力の合計値）よりもトリガ用センサＴＳ１の方が消費電力の少ないセンサであることが好ましい。
【００２２】
計測部１０３は、計測対象の構造物に関係する計測対象物理量（例えば、加速度、変位量、歪み、振動周波数、温度、湿度、圧力、赤外線量、音量、照度、風速など）を計測する計測用センサＭＳ１〜ＭＳｉ（ｉは２以上の整数）を備えている。計測部１０３は、計測用センサＭＳ１〜ＭＳｉの計測結果（計測データ）を制御部１０１に出力する。制御部１０１は、計測部１０３から入力された計測データを計測データ記憶部１０７に順次記憶させるとともに、計測データ記憶部１０７に記憶させた計測データを所定のタイミングで読み出し、通信部１０５を介してデータ処理装置２０に送信する。
【００２３】
なお、本実施形態では、計測部１０３は、複数の計測用センサＭＳ１〜ＭＳｉを備え、これら各計測用センサによって互いに異なる物理量を計測するようになっているが、これに限るものではない。例えば、計測用センサを１個だけ備え、１種類の物理量を計測するようにしてもよい。また、計測部１０３において計測される計測対象物理量と、トリガ検出部１０２において検出されるトリガ用物理量とは、同じ物理量であってもよく、異なる物理量であってもよい。
【００２４】
また、本実施形態では、所定のトリガ条件が発生していない時には計測部１０３に計測処理を行わせず（計測部１０３を非計測状態にし）、所定のトリガ条件が発生した場合に制御部１０１が計測部１０３に計測処理を開始させる（計測部１０３を計測状態にする）。これにより、計測部１０３の動作時間を短縮して消費電力を低減させ、電源部１１に備えられる電池の寿命の長寿命化を図っている。
【００２５】
計時部１０４は、制御部１０１の指示に応じて所定のタイミングからの経過時間を計測する。例えば、制御部１０１は、計測部１０３に計測処理を開始させてからの経過時間を計時部１０４に計測させ、所定時間が経過したときに計測部１０３による計測処理を終了させる。なお、計時部１０４が、日付及び時刻を計時する機能を有していてもよい。
【００２６】
通信部１０５は、他の装置（例えばデータ処理装置２０）との間で無線通信による通信を行う。例えば、通信部１０５は、制御部１０１の指示に応じて、計測データ記憶部１０７に記憶されている計測データをデータ処理装置２０に送信する。また、通信部１０５は、データ処理装置２０（あるいはデータサーバ３０）からトリガ条件等の設定指示を受信し、制御部１０１に出力する。なお、本実施形態では、通信部１０５がデータ処理装置２０との間で無線通信による通信を行うものとしているが、通信方法は特に限定されるものではなく、例えば有線通信による通信を行う構成としてもよい。
【００２７】
設定情報記憶部１０６は、トリガ検出部１０２および計測部１０３の動作パラメータ（計測時間、サンプリング周期、トリガ検出間隔、周波数等の動作条件）およびその補正値、計測部１０３に計測処理を開始させるトリガ条件（トリガ閾値）に関する情報等の各種設定情報を記憶する。本実施形態では、設定情報記憶部１０６として不揮発性メモリを用いている。なお、設定情報記憶部１０６の配置位置は図２に示した例に限るものではなく、例えば、設定情報記憶部１０６をトリガ検出部１０２の内部に設けてもよい。
【００２８】
計測データ記憶部１０７は、計測部１０３によって計測された計測データを記憶する。本実施形態では、計測データ記憶部１０７として不揮発性メモリを用いており、計測データ記憶部１０７に一旦記憶された計測データは、制御部１０１の指示により、通信部１０５を介してデータ処理装置２０に送信される。また、データ処理装置２０への送信が完了した計測データは、計測データ記憶部１０７から適宜削除される。なお、計測データ記憶部１０７は、揮発性メモリが用いられてもよい。
【００２９】
閾値順位記憶部１０８は、トリガ検出部１０２によって検出された検出値（トリガ用物理量）を記憶する。例えば、閾値順位記憶部１０８は、トリガ閾値を設定するための閾値順位テーブル（後述）を備え、前記検出値を前記閾値順位テーブルに記憶する。本実施形態では、閾値順位記憶部１０８として不揮発性メモリを用いている。なお、閾値順位記憶部１０８の配置位置は図２に示した例に限るものではなく、例えば、閾値順位記憶部１０８をトリガ検出部１０２の内部に設けてもよい。
【００３０】
データ処理装置２０は、図１に示したように、複数のセンサ装置１０との間、およびデータサーバ３０との間で通信を行うようになっており、各センサ装置１０から受信した計測データに基づいて集計、解析等のデータ処理を行い、データ処理結果をデータサーバ３０に送信する。なお、データ処理装置２０が各センサ装置１０から受信した計測データをそのままデータサーバ３０に送信するようにしてもよい。また、データ処理装置２０とデータサーバ３０との間の通信方法は特に限定されるものではなく、有線通信であってもよく、無線通信であってもよい。なお、データサーバ３０は、本発明のサーバ装置の一例である。
【００３１】
外部サーバ４０は、複数のデータサーバ３０と通信可能であり、各データ処理装置２０から受信したデータ処理結果を保存する。また、外部サーバ４０は、計測システム１の管理者から各種設定情報の指示入力を受け付け、指示入力に応じた設定情報を計測システム１内の各装置に送信する。例えば、外部サーバ４０は、各センサ装置１０における計測部１０３の動作パラメータ、その補正値、計測部１０３に計測処理を開始させるトリガ条件（トリガ閾値）に関する情報等の各種設定情報の指示入力を受け付け、当該指示入力に応じた設定情報をデータサーバ３０およびデータ処理装置２０を介して各センサ装置１０に送信する。
【００３２】
なお、本実施形態では、データ処理装置２０、データサーバ３０、および外部サーバ４０を備えている構成について説明するが、これに限るものではなく、これら各装置のうちの一部または全部が共通の装置であってもよい。
【００３３】
ところで、計測対象の構造物が橋梁、高架道路等である場合、構造物には、交通荷重（車両等の走行に起因する荷重）、風等により定常的な振動が発生する。また、構造物には、所定震度以上の地震、所定風速以上の台風等により突発的な振動が発生する。このような構造物に生じる振動の大きさは、構造物の部位（橋脚に近い部位、橋脚から離れた部位など）により異なる。このため、構造物は、当該構造物が設置される場所だけでなく、当該構造物における部位によっても、疲労の蓄積、劣化の進行度合いなどが異なる。
【００３４】
そこで、構造物の劣化などを正確に把握するためには、前記定常的な振動を適切な頻度で検出するとともに、前記突発的な振動を確実に検出することができるように、トリガ条件（トリガ閾値）を設定することが重要となる。また、構造物の劣化などを正確に把握するためには、構造物を長期間モニタリングすることも重要である。このため、計測部１０３の消費電力を低減させて長寿命化を図るために、計測部１０３の計測頻度が必要最小限度となるように、トリガ閾値を設定することが重要となる。
【００３５】
本実施形態にかかるセンサ装置１０は、エネルギー消費量（消費電力）を低減するとともに、計測部１０３を非計測状態から計測状態に切り替える条件となるトリガ閾値（トリガ条件）を、管理者の手間を省きつつ適切な値に設定することを可能にする構成を備えている。
【００３６】
具体的には、制御部１０１は、トリガ検出部１０２によって検出される検出値（トリガ用物理量）が登録される前記閾値順位テーブルを参照して、トリガ閾値を設定する。例えば、トリガ検出部１０２は、平常時の一定期間、構造物に生じる振動を検出（学習）し、制御部１０１は、検出された一定期間分の構造物の振動状況（変動状況）を用いて、リアルタイムにトリガ閾値を設定、変更（更新）していく。前記一定期間は、構造物の平常時の変動状況（パターン）（例えば交通量の変化の周期性）を考慮して、７日間（１週間）に設定される。前記振動状況は、前記一定期間毎に更新される。以下、トリガ閾値の設定方法について、具体例を挙げて説明する。
【００３７】
［トリガ閾値設定処理］
図３および図４は、センサ装置１０で実行されるトリガ閾値設定処理の手順の一例を示すフローチャートである。図３および図４において、「Ｓ」は処理手順のステップ（工程）番号を示す。トリガ閾値設定処理は、本発明の計測方法の一例である。
【００３８】
なお、本実施形態では、トリガ閾値設定処理の開始に先立って、設定情報記憶部１０６に、計測部１０３の動作制御に用いる設定情報を記憶させておく。
【００３９】
図５は、設定情報記憶部１０６に記憶される設定情報に含まれるトリガ設定条件の一例を示す説明図である。図５の例では、トリガ閾値（トリガ条件）を決定するためのトリガ設定条件として、閾値設定順位と、更新期間とが設定されている。更新期間は、前記一定期間に相当する。閾値設定順位は、前記一定期間において、トリガ検出部１０２がトリガ用センサＴＳ１により検出したトリガ用物理量（検出値）を大きい順に並べた場合のトリガ用物理量の順位である。閾値設定順位に対応するトリガ用物理量が、トリガ閾値として設定される。
【００４０】
例えば、トリガ設定条件として、前記一定期間（更新期間）を「７日間」に設定し、閾値設定順位を「第１位」に設定した場合、７日間で検出される複数の検出値のうち、最大値（第１位）の検出値が１回検出されることになるため、７日に１回の割合で、トリガ条件が満たされて計測部１０３による計測処理が実行されることになる。また例えば、トリガ設定条件として、前記一定期間を「７日間」に設定し、閾値設定順位を「第７位」に設定した場合、７日間で検出される複数の検出値のうち、最大値（第１位）から「第７位」までの７個の検出値が検出されることになるため、平均的に１日に１回の割合で、トリガ条件が満たされて計測部１０３による計測処理が実行されることになる。
【００４１】
このように、トリガ設定条件に設定される閾値設定順位に応じて、計測部１０３による計測処理の頻度が変更される。閾値設定順位は、例えば計測処理の発生頻度に基づいて予め設定される。具体的には例えば、閾値設定順位は、過去の計測結果と所望する計測処理の発生頻度とに基づいて設定される。一例を挙げると、閾値設定順位として、計測処理の発生頻度が比較的高くなる下位順位（例えば、第７位）と、計測処理の発生頻度が比較的低くなる上位順位（例えば、第１位）とが設定される。なお、「第７位」は、本発明の第１の設定順位の一例であり、「第１位」は、本発明の第２の設定順位の一例である。また、閾値設定順位は、最初の電池容量（または電池残量）と１回当たりの計測による消費電力、計測処理を実行（動作）させたい期間から算出される発生頻度などに基づいて設定されてもよい。
【００４２】
また、ここでは、一例として、前記一定期間（更新期間）を「７日間」に設定するとともに、トリガ検出部１０２が、１日に１回のペース（トリガ検出間隔）でトリガ用センサＴＳ１によりトリガ用物理量を検出するものとする。また、計測対象物理量として、加速度を例に挙げる。すなわち、トリガ検出部１０２は、前記一定期間（７日間）毎に、７個のトリガ用物理量（加速度）を検出するものとする。なお、ここでは発明の概念の理解を容易にするために、前記トリガ検出間隔を「１日」に設定しているが、実用上は例えば、トリガ検出部１０２は、所定の周期（例えば２５Ｈｚ）でトリガ用センサＴＳ１に計測させつつ、１分間隔でトリガ用物理量を検出する。この場合、トリガ検出部１０２は、前記一定期間（７日間）毎に、１００８０個のトリガ用物理量を検出する。
【００４３】
また、ここでは、任意の７日間（第１更新期間）において、トリガ検出部１０２が、７個のトリガ用物理量を検出したものとする。図６は、計測対象の構造物の任意の位置（部位）における振動の大きさ（振幅）の変化の様子を示す図である。トリガ検出部１０２は、例えば、１日に１回のペース（トリガ検出間隔）でトリガ用センサＴＳ１によりトリガ用物理量を検出する。制御部１０１は、検出された各トリガ用物理量を、閾値順位記憶部１０８のる閾値順位テーブルに登録する。図６には、第２更新期間において検出される７個のトリガ用物理量を例示している。なお、図６および以降の図に示す各トリガ用物理量の値は、説明の便宜上例示するものである。第１更新期間は、本発明の第１所定期間の一例であり、第２更新期間は、本発明の第２所定期間の一例である。
【００４４】
図７の（Ａ）は、第１更新期間における閾値順位テーブルの一例を示す図である。同図に示すように、制御部１０１は、各トリガ用物理量を、値が大きい順に並べて閾値順位テーブルに登録する。第１更新期間における閾値順位テーブルは、第２更新期間におけるトリガ閾値設定処理に用いられる。
【００４５】
以下では、第１更新期間が終了した時点からの処理を説明する。またここでは、トリガ設定条件の閾値設定順位が「第７位」に設定されているものとする。
【００４６】
まず、制御部１０１は、トリガ検出部１０２のトリガ閾値（トリガ条件）を、図７の（Ａ）の閾値順位テーブルの「第７位」に対応する「３０」に設定する（Ｓ１０１）。なお、制御部１０１は、設定したトリガ閾値を設定情報記憶部１０６に記憶する。
【００４７】
次に、更新期間が経過した場合（Ｓ１０２：ＹＥＳ）、制御部１０１は、閾値順位記憶部１０８の閾値順位テーブルを初期化し（Ｓ１０３）、更新期間が経過していない場合（Ｓ１０２：ＮＯ）、処理はステップＳ１０４に移行する。ここでは、第１更新期間が終了したため、処理はステップＳ１０３に移行し、制御部１０１は、閾値順位テーブルを初期化する。図７の（Ｂ）には、初期化された閾値順位テーブルを示している。例えば、制御部１０１は、第２更新期間が開始されると、第１更新期間に閾値順位テーブルに登録された複数のトリガ用物理量を削除する。
【００４８】
第２更新期間が始まると、制御部１０１は、トリガ検出部１０２にトリガ用物理量の検出を開始させる（Ｓ１０４）。これにより、トリガ検出部１０２は、トリガ用センサＴＳ１により、予め設定された間隔（トリガ検出間隔）でトリガ用物理量を検出する。ここでは、第２更新期間（７日間）において７回トリガ用物理量を検出するため、前記トリガ検出間隔は例えば２４時間に設定される。図６に示す第２更新期間（７日間）の「ａ」〜「ｇ」は、２４時間毎にトリガ用物理量を検出する検出タイミングを示している。なお、前記トリガ検出間隔は、計時部１０４により計時される。
【００４９】
トリガ検出部１０２は、図６に示す時間「ａ」のタイミングで、トリガ用物理量を検出する。具体的には、まず、トリガ検出部１０２は、１回の検出処理において、所定期間に検出される検出値の最大値を、当該検出処理における検出値として取得する。一般的に１回の振動により複数の検出値が検出されるため、トリガ用物理量の適切な値を検出するために、所定期間において検出される複数の検出値のうち最大値を、当該振動に対する検出値とする。例えば、トリガ検出部１０２は、時間「ａ」のタイミングに応じて、所定期間（例えば１分間）に複数の検出値を検出し、その内の最大値を時間「ａ」における検出値して検出する。なお、前記所定期間および検出タイミングは、計時部１０４により計時される。
【００５０】
次に、トリガ検出部１０２は、検出した検出値に基づいて、トリガ用物理量を取得（算出）する（Ｓ１０５）。具体的には、トリガ検出部１０２は、前記検出値から基準値（図６参照）を減算して算出された値をトリガ用物理量とする。前記基準値は、構造物に負荷が生じていない場合のトリガ検出部１０２の検出値である。前記基準値は、構造物の劣化の進行度合いなどにより変動するため、前記検出値から前記基準値を減算することにより適切な振動変化量（トリガ用物理量）を算出することができる。ここでは、前記基準値は、最適な値に設定されているものとする。トリガ検出部１０２において算出されたトリガ用物理量は、振動の大きさ（変化量）を表す。ここでは、ステップＳ１０５で算出されたトリガ用物理量が、「３８」（図６参照）であったとする。
【００５１】
次に、制御部１０１は、閾値順位テーブルに登録されたトリガ用物理量の登録数が、予め設定された設定登録数に達したか否かを判定する（Ｓ１０６ａ）。閾値順位テーブルには、トリガ用物理量を登録可能な登録数が予め設定されている。ここでは、前記設定登録数は「７個」に設定されている。前記トリガ用物理量の登録数が設定登録数に達した場合（Ｓ１０６ａ：ＹＥＳ）、処理はＳ１０６ｂに移行し、前記トリガ用物理量の登録数が設定登録数に達していない場合（Ｓ１０６ａ：ＮＯ）、処理はＳ１０７に移行する。
【００５２】
ステップＳ１０７では、制御部１０１は、トリガ検出部１０２からトリガ用物理量を取得し、前記トリガ用物理量を、閾値順位テーブルの該当する順位に登録する。ここでは、制御部１０１は、前記トリガ用物理量「３８」を閾値順位テーブルの最上位（登録順位：第１位）に設定する（図８の（ａ）参照）。その後、処理はステップＳ１０８に移行する。
【００５３】
ステップＳ１０６ｂでは、制御部１０１は、前記トリガ用物理量が、閾値順位テーブルの最小値より大きいか否かを判定する（Ｓ１０６ｂ）。前記トリガ用物理量が、閾値順位テーブルの最小値より大きい場合（Ｓ１０６ｂ：ＹＥＳ）、処理はステップＳ１０７に移行し、前記トリガ用物理量が、閾値順位テーブルの最小値以下である場合（Ｓ１０６ｂ：ＮＯ）、処理はステップＳ１０８に移行する。このように、閾値順位テーブルに登録されたトリガ用物理量の登録数が、設定登録数に達するまでは、算出された前記トリガ用物理量が、該当する順位に順次登録されていく。そして前記登録数が前記設定登録数に達すると、前記トリガ用物理量が閾値順位テーブルの最下位に登録されているトリガ用物理量（最小値）より大きい場合に、当該前記トリガ用物理量が、該当する順位に登録され、最下位のトリガ用物理量が閾値順位テーブルから削除される。
【００５４】
次に、トリガ検出部１０２は、前記トリガ用物理量が、現在のトリガ閾値より大きいか否かを判定する（Ｓ１０８）。ここでは、前記トリガ用物理量「３８」が、現在のトリガ閾値「３０」（図７の（Ａ）参照）より大きいため、処理はステップＳ１０９に移行する。この場合、トリガ検出部１０２は、トリガ用センサＴＳ１の検出結果（トリガ用物理量「３８」）が制御部１０１によって設定されたトリガ条件（トリガ閾値「３０」）を満たすため、制御部１０１に対して、検出されたトリガ条件に対応するトリガ信号を出力する。
【００５５】
制御部１０１は、トリガ検出部１０２からトリガ信号が入力されると、計測部１０３に計測用物理量の計測を開始させる（Ｓ１０９）。すなわち、計測部１０３を非計測状態から計測状態に切り替える。これにより、計測部１０３は、計測処理（図１０参照）を実行する。なお、トリガ閾値設定処理と計測処理とは並行して実行される。
【００５６】
次に、制御部１０１は、トリガ設定条件に、現在の閾値設定順位より上位の閾値設定順位が設定されているか否かを判定する（Ｓ１１０）。ここでは、トリガ設定条件（図５参照）に、現在の閾値設定順位「第７位」より上位の閾値設定順位「第１位」が設定されているため（Ｓ１１０：ＹＥＳ）、処理はステップＳ１１１に移行する。
【００５７】
Ｓ１１１において、制御部１０１は、現在の閾値設定順位「第７位」のトリガ閾値「３０」を、上位の閾値設定順位「第１位」の設定値「５９」（図７の（Ａ）参照）に変更する。その後、処理はステップＳ１０２に戻り、上述の処理が繰り返される。なお、センサ装置１０で実行される計測処理（図１０参照）において、計測データがセンサ装置１０からデータ処理装置２０に送信されると、閾値設定順位がトリガ設定条件（図５参照）に設定された閾値設定順位のうち最下位に変更（リセット）される（図１０のステップＳ２０４参照）。例えば、計測データがセンサ装置１０からデータ処理装置２０に送信されると、閾値設定順位が「１位」から「７位」に変更（リセット）される。閾値設定順位のリセット動作は、所定のタイミングで行われる。
【００５８】
ステップＳ１０２に戻り、図６に示す時間「ｂ」で検出されたトリガ用物理量が「３５」であった場合、制御部１０１は、当該トリガ用物理量「３５」を閾値順位テーブルの「第２位」（登録順位）に登録する（図８の（ｂ）参照）（Ｓ１０７）。
【００５９】
次に、Ｓ１０８において、トリガ用物理量「３５」が現在の閾値「５９」より小さいため（Ｓ１０８：ＮＯ）、計測部１０３による計測処理は行われず、処理はステップＳ１０２に戻る。
【００６０】
ステップＳ１０２に戻り、図６に示す時間「ｃ」で検出されたトリガ用物理量が「４３」であった場合、制御部１０１は、当該トリガ用物理量「４３」を閾値順位テーブルの「第１位」（登録順位）に登録する（図８の（ｃ）参照）（Ｓ１０７）。なお、既に登録されているトリガ用物理量「３５」、「３８」は、登録順位を繰り下げる。
【００６１】
次に、ステップＳ１０８において、トリガ用物理量「４３」が現在の閾値「５９」より小さいため（Ｓ１０８：ＮＯ）、計測部１０３による計測処理は行われず、処理はステップＳ１０２に戻る。
【００６２】
ステップＳ１０２に戻り、図６に示す時間「ｄ」で検出されたトリガ用物理量が「６２」であった場合、制御部１０１は、当該トリガ用物理量「６２」を閾値順位テーブルの「第１位」（登録順位）に登録する（図８の（ｄ）参照）（Ｓ１０７）。
【００６３】
次に、ステップＳ１０８において、トリガ用物理量「６２」が現在の閾値「５９」より大きいため（Ｓ１０８：ＹＥＳ）、処理はステップＳ１０９に移行する。これにより、計測部１０３は、計測処理（図１０参照）を実行する。
【００６４】
次に、ステップＳ１１０において、トリガ設定条件（図５参照）に、現在の閾値設定順位「第１位」より上位の閾値設定順位が設定されていないため（Ｓ１１０：ＮＯ）、処理はステップＳ１０２に戻る。
【００６５】
図６に示す時間「ｅ」、「ｆ」、「ｇ」で検出されたトリガ用物理量「３６」、「４９」、「２９」については、それぞれ、上述の処理により、閾値順位テーブルの「第５位」、「第２位」、「第７位」（登録順位）に登録される（図８の（ｇ）参照）。
【００６６】
この時点で、閾値順位テーブルに登録されたトリガ用物理量の登録数が、設定登録数に達する（Ｓ１０６ａ：ＹＥＳ）。このため、例えば次に検出されたトリガ用物理量が「３２」であった場合、当該トリガ用物理量「３２」は、閾値順位テーブル（図８の（ｇ）参照）の最小値「２９」より大きいため（Ｓ１０６ｂ：ＹＥＳ）、制御部１０１は、トリガ用物理量「３２」を閾値順位テーブルの「第７位」に登録し、トリガ用物理量「２９」を削除する。また、例えば検出されたトリガ用物理量が「２５」であった場合、当該トリガ用物理量「２５」は、前記最小値「２９」以下であるため（Ｓ１０６ｂ：ＮＯ）、処理はステップＳ１０２に戻る。
【００６７】
その後ステップＳ１０２に戻り、第２更新期間が経過したと判定されると（Ｓ１０２：ＹＥＳ）、処理はステップＳ１０３に移行し、制御部１０１は、閾値順位記憶部１０８の閾値順位テーブル（図８の（ｇ）参照）を初期化する（図８の（ｈ）参照）。第２更新期間における閾値順位テーブルは、第３更新期間におけるトリガ閾値設定処理に用いられる（図９参照）。
【００６８】
ここで、第２更新期間においてトリガ設定条件の閾値設定順位が「第７位」から「第１位」に変更されるため、閾値設定順位のリセット動作（図１０のステップＳ２０４参照）が行われない場合は、第３更新期間で初めに用いられるトリガ閾値は、第２更新期間における閾値順位テーブルの「第１位」に設定されたトリガ用物理量「６２」に設定される（図９参照）。なお、閾値設定順位のリセット動作（図１０のステップＳ２０４参照）が行われた場合は、閾値設定順位が「１位」から「７位」に変更（リセット）される。以降は、各更新期間において上述の処理が繰り返される。
【００６９】
［計測処理］
図１０は、センサ装置１０で実行される計測処理の手順の一例を示すフローチャートである。計測処理は、本発明の計測方法の一例である。計測処理は、上述のトリガ閾値設定処理と並行して実行される。
【００７０】
制御部１０１は、トリガ検出部１０２からトリガ信号が入力されると（Ｓ２０１：ＹＥＳ）、計測部１０３に計測用物理量の計測を開始させる。すなわち、計測部１０３を非計測状態から計測状態に切り替える。これにより、計測部１０３は、計測処理を開始する（Ｓ２０２）。
【００７１】
計測部１０３は、計測結果（計測データ）を制御部１０１に出力する。制御部１０１は、計測部１０３から入力された計測データを計測データ記憶部１０７に順次記憶させるとともに、計測データ記憶部１０７に記憶させた計測データを所定のタイミングで読み出し、通信部１０５を介してデータ処理装置２０に送信する（Ｓ２０３）。
【００７２】
次に、制御部１０１は、閾値設定順位をトリガ設定条件（図５参照）に設定された閾値設定順位のうち最下位に変更（リセット）する（Ｓ２０４）。例えば、制御部１０１は、閾値設定順位を「１位」から「７位」に変更する。
【００７３】
次に、制御部１０１は、計測部１０３の動作制御を終了するか否かを判断し（Ｓ２０５）、終了しない場合にはステップＳ２０１の処理に戻る。なお、制御部１０１は、計測部１０３に計測処理を開始させた後の経過時間が所定時間に達したときに計測処理を完了させるように制御してもよい。
【００７４】
以上のように、本実施形態にかかるセンサ装置１０では、所定のトリガ条件が満たされる（トリガ用物理量がトリガ閾値を超える）までは計測部１０３を非計測状態にしておき、所定のトリガ条件が満たされたときに計測部１０３を非計測状態から計測状態に切り替えて計測対象物理量の計測処理を開始させる。
【００７５】
これにより、計測部１０３の稼働時間を短縮して省エネルギー化を図ることができる。したがって、センサ装置１０の電源として備えられる電池の交換頻度あるいは充電頻度を低減することができる。また、センサ装置１０の電源電力を外部から受電する構成の場合には、各センサ装置１０の消費電力の低減によりランニングコストの低減を図ることができる。また、計測処理の発生頻度を所望の頻度に調整することができるため、各センサ装置１０の消費電力を所望の値に調整することができる。よって、電池の寿命及び交換頻度、充電頻度を予測することができ、センサ装置１０を管理し易くなる。
【００７６】
また、本実施形態にかかるセンサ装置１０では、トリガ閾値を、トリガ検出部１０２により検出されるトリガ用物理量に基づいて定期的（リアルタイム）に更新していく。例えば、トリガ検出部１０２により検出されるトリガ用物理量が平均的に大きく、計測部１０３による計測処理の頻度が高くなる場合は、センサ装置１０は、予め設定される閾値設定順位に基づいて、トリガ条件を満たす頻度が低くなるように、トリガ閾値を大きい値に変更する。
【００７７】
この構成によれば、構造物に設置されるセンサ装置１０毎に、最適なトリガ閾値を設定することができる。また、構造物に対する環境の変化に応じて最適なトリガ閾値を設定することができる。また、予め設定されるトリガ設定条件（図５参照）の閾値設定順位に基づいて、定期的（リアルタイム）にトリガ閾値が自動的に更新される。このため、例えば、管理者が計測部１０３による計測処理の頻度を確認して、手動によりトリガ閾値を変更するなどの操作が不要となるため、管理者の手間を省くことができる。
【００７８】
なお、予め設定されるトリガ設定条件の閾値設定順位は、少なくとも一つ設定されていればよい。例えば、閾値設定順位が一つ設定されている場合は、制御部１０１は、各更新期間において、当該順位に対応するトリガ用物理量をトリガ閾値に設定する。
【００７９】
また、閾値設定順位は、３つ以上設定されてもよい。閾値設定順位の数を多くすることにより、計測部１０３による計測処理の頻度を細かく調整することができる。
【００８０】
［変形例］
制御部１０１は、上述のトリガ閾値設定処理により設定されるトリガ閾値を補正する補正処理を実行してもよい。
【００８１】
例えば、前記トリガ閾値設定処理により設定されたトリガ閾値に基づいて計測部１０３が計測処理を実行した場合であって、当該計測処理の頻度が高いと判断される場合、または、当該計測処理の頻度を低くしても問題がないと判断される場合、制御部１０１は、前記トリガ閾値設定処理により設定されたトリガ閾値を補正した値を、補正後のトリガ閾値として設定する。
【００８２】
例えば、制御部１０１は、現在設定されている閾値設定順位（例えば、「第１位」）のトリガ用物理量（例えば、「６２」）に、所定値（例えば、「１０」）を加算して算出される値（「７２」）を、補正後のトリガ閾値として設定する。
【００８３】
また、制御部１０１は、現在設定されている閾値設定順位（「第１位」）のトリガ用物理量（例えば、「６２」）に、所定係数（例えば、「１．２」）を乗算して算出される値（「７４．４」）を、補正後のトリガ閾値として設定する。
【００８４】
これにより、計測部１０３による計測処理の頻度を適切な頻度に設定することができる。なお、前記所定値または前記所定係数は、更新期間における、突発的な振動の回数と、計測部１０３による計測処理の頻度とに基づいて、予めトリガ設定条件（図５参照）に設定される。
【００８５】
上述のトリガ閾値設定処理（図３参照）では、更新期間が経過した場合に（Ｓ１０２：ＹＥＳ）、制御部１０１は、閾値順位記憶部１０８の閾値順位テーブルを初期化している（Ｓ１０３）。他の実施形態として、制御部１０１は、閾値順位テーブルに登録された複数のトリガ用物理量のうち、更新期間が経過したトリガ用物理量のみを初期化（削除）してもよい。例えば、制御部１０１は、閾値順位テーブルに登録された複数のトリガ用物理量のうち、更新期間が経過した第３位（登録順位）に登録されたトリガ用物理量を削除し、第４位以降のトリガ用物理量の登録順位を一つずつ繰り上げる処理を行う。制御部１０１は、閾値順位テーブルに登録された複数のトリガ用物理量のうち更新期間が経過したトリガ用物理量について、前記の処理を行う。
【００８６】
本実施形態では、各トリガ条件に対応する計測処理の計測条件を一定に設定しているが、これに限るものではなく、トリガ条件毎に計測条件（例えば、計測時間、計測対象物理量、計測範囲、サンプリング周波数、計測処理の終了条件など）を異ならせてもよい。
【００８７】
具体例としては、例えば、閾値設定順位が低いトリガ閾値（例えば「第７位」のトリガ閾値）によりトリガ条件が満たされたときに行う計測時間を１分とし、閾値設定順位が高いトリガ閾値（例えば「第１位」のトリガ閾値）によりトリガ条件が満たされたときに行う計測時間を５分としてもよい。また、閾値設定順位が低いトリガ閾値によりトリガ条件が満たされたときの計測レンジを±３Ｇとし、閾値設定順位が高いトリガ閾値によりトリガ条件が満たされたときの計測レンジを±１Ｇとしてもよい。また、閾値設定順位が低いトリガ閾値によりトリガ条件が満たされたときのサンプリング周波数を１００Ｈｚとし、閾値設定順位が高いトリガ閾値によりトリガ条件が満たされたときのサンプリング周波数を２００Ｈｚとしてもよい。
【００８８】
これにより、例えば、高精度な計測が要求されない場合には消費電力が少ない計測条件を採用し、高精度な計測が必要な場合には高精度な計測が可能な計測条件を採用するなど、トリガ条件の程度、種類、優先度等に応じて計測条件を適切に設定することができる。
【００８９】
本実施形態では、設定情報記憶部１０６に予め設定された閾値設定順位により決定されるトリガ閾値を用いて計測部１０３の計測動作を制御しているが、これに限らず、データ処理装置２０（あるいは制御部１０１、データサーバ３０、または外部サーバ４０）が所定の条件に基づいて計測動作の制御に用いる閾値設定順位を自動的に決定するようにしてもよい。
【００９０】
例えば、データ処理装置２０（あるいはセンサ装置１０の制御部１０１、データサーバ３０、または外部サーバ４０）が、所定期間あたり（例えば１日あたり）の計測処理の発生頻度が所定の条件（例えば、所定値以下あるいは所定の数値範囲内）になるように過去の計測結果（例えば直近の数日間の計測結果）に基づいて閾値設定順位を決定するようにしてもよい。この場合、データ処理装置２０は、計測処理の発生頻度が高すぎる場合には計測処理の発生頻度を低下させるために閾値設定順位を変更前よりも高く設定し、計測処理の発生頻度が低すぎる場合には計測処理の発生頻度を増加させるために閾値設定順位を変更前よりも低く設定する。
【００９１】
また、制御部１０１が、日照時間（日出時間、日没時間）、気温、湿度、季節、曜日等の各種条件に基づいて、トリガ設定条件（閾値設定順位、更新期間など）を自動的に設定するようにしてもよい。
【００９２】
また、制御部１０１がトリガ条件の更新（自動設定）を行うタイミングは特に限定されるものではなく、例えば、所定の周期毎（例えば、所定の経過時間毎、所定時刻毎、所定日数毎など）であってもよく、所定のセンサ装置１０のトリガ検出部１０２あるいは計測部１０３によって所定の事象が検出される毎であってもよく、計測データの集計・解析結果が所定の条件に該当する毎であってもよく、センサ装置１０の管理者が設定変更指示を行ったときであってもよい。
【００９３】
センサ装置１０の制御部１０１は、集積回路（ＩＣチップ）等に形成された論理回路（ハードウェア）によって実現してもよいし、ＣＰＵ（Central Processing Unit）を用いてソフトウェアによって実現してもよい。
【００９４】
後者の場合、センサ装置１０は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワーク、放送波等）を介して前記コンピュータに供給されてもよい。なお、本発明は、前記プログラムが電子的な伝送によって具現化された、搬送波に埋め込まれたデータ信号の形態でも実現され得る。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１      ：計測システム
１０    ：センサ装置
１１    ：電源部
１２    ：負荷部
２０    ：データ処理装置
３０    ：データサーバ
４０    ：外部サーバ
１０１  ：制御部
１０２  ：トリガ検出部
１０３  ：計測部
１０４  ：計時部
１０５  ：通信部
１０６  ：設定情報記憶部
１０７  ：計測データ記憶部
１０８  ：閾値順位記憶部
ＭＳｉ  ：計測用センサ
ＴＳ１  ：トリガ用センサ
【図１】
2019159792.tif 000003
【図２】
2019159792.tif 000004
【図３】
2019159792.tif 000005
【図４】
2019159792.tif 000006
【図５】
2019159792.tif 000007
【図６】
2019159792.tif 000008
【図７】
2019159792.tif 000009
【図８】
2019159792.tif 000010
【図９】
2019159792.tif 000011
【図１０】
2019159792.tif 000012